(57)【特許請求の範囲】
【請求項１】
基礎床面の上部において予め組立されてリフト装置によって屋根構造体を昇降する組立式建物施工装置において、
屋根構造体（１）と基礎床面（２）を構成する骨組フレーム（３、３’）に一方の端が締結され、他方の端は屋根構造体（１）の外郭から突出して垂直孔（１２）が穿設される上下ガイド部材（１０、１０’）と、
前記上下ガイド部材（１０、１０’）の垂直孔（１２）に嵌入して屋根構造体（１）と基礎床面（２）を連結し、屋根構造体（１）の垂直方向の搬送を案内するように形成される垂直案内棒（２０）と、
前記垂直案内棒（２０）に締結されるように一方の端にクランプ（３２）が設けられ、他方の端は基礎床面（２）の骨組フレーム（３’）に締結されるように形成される支え杆（３０）と、
を備えてなることを特徴とする組立式建物施工装置。
【請求項２】
前記上下ガイド部材（１０、１０’）は、一方の端に締結杆（１４）が形成されて骨組フレーム（３、３’）の端部に挿設されることを特徴とする請求項１に記載の組立式建物施工装置。
【請求項３】
前記上下ガイド部材（１０、１０’）は、端部に垂直孔（１２）が穿設される一対のガイドフレーム（１１）が３０〜９０°の傾斜角をもって設けられることを特徴とする請求項１に記載の組立式建物施工装置。
【請求項４】
前記一対のガイドフレーム（１１）に設けられる垂直案内棒（２０）はそれぞれの支え杆（３０）によって支持され、前記支え杆（３０）は当該垂直案内棒（２０）を支持するガイドフレーム（１１）の長手方向に配置されて互い違いになることを特徴とする請求項３に記載の組立式建物施工装置。
【発明の詳細な説明】
【技術分野】
【０００１】
本発明は組立式建物施工装置に係り、さらに詳しくは、組立式建物を施工するに際し、壁体構造物よりも予め組立された屋根構造物を床面に対して昇降させるための組立式建物施工装置に関する。
【背景技術】
【０００２】
通常、組立式建物は、規格化されたサイズに製作された仕上げパネル（例えば、断熱、防音、防風などの機能を持つパネル）を現場で組み立てるような方式で施工する建物であり、まず、基礎床面工事を行った後に、壁と屋根骨組を施工し、次いで、パネルを組み付けて壁と屋根を形成することとなる。
【０００３】
例えば、従来には、組立式建物を施工するに当たって、まず、床面を平坦化させる作業を行った後にコンクリート基礎床面を形成し、次いで、支持フレームを溶接してボルトを締め付けることにより壁体骨組を施工した後に、仕上げパネルを骨組の上に組み付けて壁体構造物を先施工し、次いで、壁体構造物と別途の空間において製作された屋根構造物を壁体構造物の上部まで運んで組み立てることとなる。
【０００４】
しかしながら、この場合、屋根構造物を組み立てるための別途の空間を確保することを余儀なくされ、しかも、屋根構造物を運ぶためにはクレーンをはじめとする大型運搬装備を準備することを余儀なくされるため、工事費の上昇が不可避になるという問題点があった。
【０００５】
さらに、最近では、健康志向文化の影響により、清浄な空気と環境にやさしい場所が好まれ、これにより、組立式建物の施工位置が車両の進入し難い山間地域などに拡大されているものの、クレーンをはじめとする大型装備の進入が困難であるため施工が不可能となるという不都合がある。
【０００６】
そこで、本出願人は、基礎床面の上において予め組立された屋根構造物を屋根昇降装置とガイド部材を用いて段階的に持ち上げた後、屋根構造物と基礎床面との間に壁体構造物を施工するといった順に組立式建物を施工して作業現場の空間活用度を高め、特に、クレーンをはじめとする大型運搬装備の援助なしでも施工を可能にする技術を出願している（例えば、下記の特許文献１参照）。
【０００７】
ところが、ガイド部材を通じた屋根構造物の支持力には限界があるため、これを補完するために、ガイド部材を狭い間隔にて配置して設置数を増やしているが、この場合、後続する壁体施工の段階においてパネルの運搬に妨害となるだけではなく、ガイド部材を撤去するときの作業時間が延びてしまうという不都合がある。
【０００８】
さらに、ガイド部材のガイド管によって支持される垂直案内棒の垂直方向の設置空間を確保するために垂直案内棒と対応する屋根構造物の屋根パネルを一部切開することを余儀なくされるため、屋根構造物の施工が完了した後に切開部を仕上げるための後工程が必ず行われなければならず、仕上げ後にも見栄えが悪いだけではなく、漏水による施工不良が引き起こされるという不都合がある。
【先行技術文献】
【特許文献】
【０００９】
【特許文献１】大韓民国特許出願第１０−２００９−００６９０９９号明細書
【発明の概要】
【発明が解決しようとする課題】
【００１０】
本発明は上述した事情に鑑みてなされたものであり、その目的は、施工位置及び作業空間に制約を受けずに迅速で且つ安全に組立式建物を施工するための組立式建物施工装置を提供するところにある。
【課題を解決するための手段】
【００１１】
上記の目的を達成するために本発明は、基礎床面の上部において予め組立されてリフト装置によって屋根構造体を昇降させる組立式建物施工装置において、屋根構造体１と基礎床面２を構成する骨組フレーム３、３’の上に一方の端が締結され、他方の端は屋根構造体１の外郭に突出して垂直孔１２が穿設される上下ガイド部材１０、１０’と、前記上下ガイド部材１０、１０’の垂直孔１２に嵌入して屋根構造体１と基礎床面２を連結し、屋根構造体１の垂直方向の搬送を案内するように形成される垂直案内棒２０と、前記垂直案内棒２０の上に締結されるように一方の端にクランプ３２が設けられ、他方の端は基礎床面２の骨組フレーム３’の上に締結されるように形成される支え杆３０と、を備えてなることを特徴とする。
【００１２】
このとき、前記上下ガイド部材１０、１０’は、一方の端に締結杆１４が形成されて骨組フレーム３、３’の端部に挿設されることを特徴とする。
【００１３】
また、前記上下ガイド部材１０、１０’は、端部に垂直孔１２が穿設される一対のガイドフレーム１１が３０〜９０°の傾斜角をもって設けられることを特徴とする。
【００１４】
さらに、前記一対のガイドフレーム１１に設けられる垂直案内棒２０はそれぞれの支え杆３０によって支持され、前記支え杆３０は当該垂直案内棒２０を支持するガイドフレーム１１の長手方向に配置されて互い違いになることを特徴とする。
【発明の効果】
【００１５】
本発明によれば、上下ガイド部材及び垂直案内棒を有する組立式建物施工装置の構造が簡単であるため、施工位置及び作業空間に制約を受けずに組立作業が迅速で且つ簡単に行われ、特に、垂直案内棒が屋根構造体の外郭において支持されることにより、屋根構造体の昇降搬送による安全性が確保されるとともに、施工後に垂直案内棒の設置のために切開した屋根を仕上げるなどの追加工程が排除されることから、作業性が向上し、工期が大幅に短縮するという利点がある。
【図面の簡単な説明】
【００１６】
【図１】本発明に係る組立式建物施工装置の全体正面図。
【図２】本発明に係る組立式建物施工装置の全体平面図。
【図３】本発明に係る組立式建物施工装置の要部拡大斜視図。
【図４】本発明に係る組立式建物施工装置における上下ガイド部材の拡大斜視図。
【発明を実施するための形態】
【００１７】
以下、添付図面に基づき、本発明の好適な実施形態を具体的に説明する。
【００１８】
本発明は、組立式建物施工装置に関するものであり、このとき、組立式建物施工装置は、基礎床面２の上部において予め組立されて油空圧シリンダーを有するリフト装置によって、屋根構造体１をより安全に、迅速且つ簡単に昇降させるために、上下ガイド部材１０、１０’、垂直案内棒２０、支え杆（支え軸）３０を主な構成要素として備えてなる。
【００１９】
本発明に係る上下ガイド部材１０、１０’は、屋根構造体１と基礎床面２を構成する骨組フレーム３、３’の上に一方の端が締結され、他方の端は屋根構造体１の外郭に突出して垂直孔１２が穿設される。上下ガイド部材１０、１０’は、屋根構造体１と基礎床面２の縁部にそれぞれ配置され、一方の端が骨組フレーム３、３’の上に溶接またはスクリュー釘付き固定手段によって締結（連結）されるか、あるいは、締結杆（連結軸）１４によって骨組フレーム３、３’の端部に挿設される。
【００２０】
図３及び図４は、上下ガイド部材１０、１０’の締結杆１４が骨組フレーム３、３’の上に挿設された状態を示しているが、ここで、フレーム骨組３、３’は、通常、重量及び耐久性を考慮して、中空の管材を用いることにより、切断部に自然に孔が穿孔され、孔の上に締結杆１４が嵌入するといった方式で締結される。
【００２１】
これにより、上下ガイド部材１０、１０’を設置する作業が迅速で且つ簡単に行われることはもとより、締結杆１４が骨組フレーム３、３’の内側に嵌まり込んだ状態で支持されるため、締結部の結束力が強固に維持されるというメリットがある。
【００２２】
このとき、上下ガイド部材１０、１０’の締結杆１４は骨組フレーム３、３’に挿設された状態で遊動及び離脱が防止されるように溶接及びスクリュー釘付き固定手段によってさらに固定されることが好ましい。
【００２３】
また、上下ガイド部材１０、１０’は、屋根構造体１の外郭に延在して垂直孔１２が穿設される。垂直孔１２は、後述する垂直案内棒２０が嵌入するように上下部が貫設され、屋根構造体１を昇降するに際して、下ガイド部材１０’の上に穿設された垂直孔１２は垂直案内棒２０を下部から支持し、上ガイド部材１０の上に穿設された垂直孔１２は垂直案内棒２０に沿って搬送される。
【００２４】
さらに、上下ガイド部材１０、１０’によって垂直案内棒２０が屋根構造体１の外郭において支持されるため、屋根構造体１を組立及び昇降するに際して、垂直案内棒２０の干渉なしに作業が簡単に行われる。
【００２５】
このとき、上下ガイド部材１０、１０’は、端部に垂直孔１２が穿設される一対のガイドフレーム１１が３０〜９０°の傾斜角をもって設けられる。一対のガイドフレーム１１は、骨組フレーム３、３’に締結される締結杆１４を軸として異なる角（例えば、好ましくは、９０°）をもって突設され、それぞれのガイドフレーム１１の端部に垂直孔１２が穿設されて単一の上下ガイド部材１０、１０’の上に２本の垂直案内棒２０が設けられる。
【００２６】
これにより、屋根構造体１を昇降するに際して、それぞれの縁部が一対の垂直案内棒２０によって２重に支持されることにより、屋根構造体１の昇降安全性が確保されるとともに、屋根構造体１の有効荷重の範囲が拡大されてデザイン変更により一層の柔軟性が確保されるというメリットがある。
【００２７】
さらに、本発明に係る垂直案内棒２０は、上下ガイド部材１０、１０’の垂直孔１２に嵌入して屋根構造体１と基礎床面２を連結し、屋根構造体１の垂直方向の搬送を案内するように形成される。垂直案内棒２０は、上下ガイド部材１０、１０’の垂直孔１２に嵌入した状態で基礎床面２と直交するように設置され、屋根構造体１を昇降するに際して上ガイド部材１０の垂直孔１２が垂直方向に搬送されるように案内する。
【００２８】
このとき、屋根構造体１の昇降作業に当たって、垂直案内棒２０が上ガイド部材１０に連れて昇降されることを防止するために、下ガイド部材１０’の支持孔１２の上に嵌入した垂直案内棒２０の端部を固定することが好ましい。
【００２９】
また、本発明に係る支え杆３０は、垂直案内棒２０の上に締結されるように一方の端にクランプ３２が設けられ、他方の端は基礎床面２の骨組フレーム３’の上に締結されるように形成される。支え杆３０は、垂直案内棒２０が基礎床面２と垂直をなすように設けられ、図１に示すように、屋根構造体１の昇降高さに応じて段階的に支持するためにクランプ３２を介して垂直案内棒２０の下端部から上端に至るまでの多数の個所に離間して配置される。
【００３０】
ここで、クランプ３２は、支え杆３０の設置角度に応じて定位置に柔らかく締結されるように支え杆３０の一方の端にヒンジを軸として旋回しつつ螺合によって着脱が容易に行われるように設けられる。
【００３１】
また、支え杆３０は、図２及び図３に示すように、単一の上下ガイド部材１０、１０’の上に一対をなして設けられた垂直案内棒２０を支持するに当たって、当該垂直案内棒２０を支持するガイドフレーム１１の長手方向にそれぞれ互い違いに配置されることにより、垂直案内棒２０相互間の支持力が四方から作用して構造的な安全性が確保される。
【符号の説明】
【００３２】
１０、１０’：上下ガイド部材
２０：垂直案内棒
３０：支持棒
【図１】
0005492852.tif 000002
【図２】
0005492852.tif 000003
【図３】
0005492852.tif 000004
【図４】
0005492852.tif 000005